(57)【特許請求の範囲】
【請求項１】
自車両の給電口の位置を取得する給電口位置取得手段と、
前記自車両が利用する充電施設を特定する施設特定手段と、
充電施設に属するすべての充電スペースにおいて充電器の位置が共通する場合には、充電施設と充電器の位置とが対応づけて記憶され、充電施設に属する充電スペースの充電器の位置がそれぞれ異なる場合は、各充電スペースと充電器の位置とが対応づけて記憶された情報により、前記特定された充電施設に属する各充電スペースの充電器の位置を取得する充電器位置取得手段と、
前記自車両の給電口の位置と前記各充電スペースの充電器の位置とに基づいて、前記自車両が前記充電スペースに駐車する際の進入方向を案内する案内手段とを有し、
前記案内手段は、
前記特定された充電施設に属する各充電スペースの充電器の位置が共通である場合には、前記充電施設と充電器の位置とが対応づけられた情報と前記自車両の給電口の位置とに基づいて、前記自車両が前記充電スペースに駐車する際の進入方向を案内し、
前記特定された充電施設に属する各充電スペースの充電器の位置が異なる場合には、前記充電施設に属する各充電スペースと充電器の位置とが対応づけられた情報と前記自車両の給電口の位置とに基づいて、前記自車両が前記各充電スペースに駐車する際の進入方向を案内する充電スペース案内装置。
【請求項２】
前記特定された充電施設に含まれる充電スペースの中から前記自車両のユーザが利用する充電スペースを特定する充電スペース特定手段をさらに備え、
前記案内手段は、前記特定された充電施設に属する各充電スペースの充電器の位置が異なる場合には、前記特定された充電スペースの充電器の位置と前記自車両の給電口の位置とに基づいて、前記自車両が前記各充電スペースに駐車する際の進入方向を案内する請求項１に記載の充電スペース案内装置。
【請求項３】
前記案内手段は、
前記特定された充電施設に属する各充電スペースの充電器の位置が共通である場合には、前記充電器の位置と前記自車両の給電口の位置とに応じた駐車方向が定義された情報を参照し、前記充電施設の前記充電器の位置と前記自車両の給電口の位置とに基づいて前記自車両が前記充電スペースに駐車する際の進入方向を案内し、
前記特定された充電施設に属する各充電スペースの充電器の位置が異なる場合には、前記充電施設に属する各充電スペースの充電器の位置と前記自車両の給電口の位置とに応じた駐車方向が定義された情報を参照し、前記各充電スペースの位置と前記自車両の給電口の位置とに基づいて前記自車両が前記充電スペースに駐車する際の進入方向を案内する請求項１又は２に記載の充電スペース案内装置。
【請求項４】
自車両と通信機能を介して充電スペースに駐車する際の案内情報を含む情報の授受が可能であり、前記自車両のユーザに充電スペースの案内情報を提供する、前記自車両外部の情報提供装置であって、
前記自車両の給電口の位置を取得する給電口位置取得手段と、
前記自車両が利用する充電施設を特定する施設特定手段と、
充電施設に属するすべての充電スペースにおいて充電器の位置が共通する場合には、充電施設と充電器の位置とが対応づけて記憶され、充電施設に属する充電スペースの充電器の位置がそれぞれ異なる場合は、各充電スペースと充電器の位置とが対応づけて記憶された情報により、前記特定された充電施設に属する各充電スペースの充電器の位置を取得する充電器位置取得手段と、
前記自車両の給電口の位置と前記各充電スペースの充電器の位置とに基づく、前記自車両が前記充電スペースに駐車する際の進入方向を案内する案内情報を、前記自車両に搭載された案内装置を介して出力させる案内手段と、を有し、
前記案内手段は、
前記特定された充電施設に属する各充電スペースの充電器の位置が共通である場合には、前記充電施設と充電器の位置とが対応づけられた情報と前記自車両の給電口の位置とに基づいて、前記自車両が前記充電スペースに駐車する際の進入方向を案内し、
前記特定された充電施設に属する各充電スペースの充電器の位置が異なる場合には、前記充電施設に属する各充電スペースと充電器の位置とが対応づけられた情報と前記自車両の給電口の位置とに基づいて、前記自車両が前記各充電スペースに駐車する際の進入方向を案内する情報提供装置。
【請求項５】
充電スペース案内装置が、給電口位置取得手段と、施設特定手段と、充電器位置取得手段と、案内手段とを有し、
前記給電口位置取得手段が、自車両が利用する充電施設を特定するステップを実行し、
前記施設特定手段が前記特定された充電施設に属する各充電スペースの充電器の位置を取得するステップを実行し、
前記充電器位置取得手段が、充電施設に属するすべての充電スペースにおいて充電器の位置が共通する場合には、充電施設と充電器の位置とが対応づけて記憶され、充電施設に属する充電スペースの充電器の位置がそれぞれ異なる場合は、各充電スペースと充電器の位置とが対応づけて記憶された情報により、前記特定された充電施設に属する各充電スペースの充電器の位置を取得するステップを実行し、
前記案内手段が、前記自車両の給電口の位置と前記各充電スペースの充電器の位置とに基づいて、前記自車両が前記充電スペースに駐車する際の進入方向を案内するステップを実行し、
前記進入方向を案内するステップにおいて、前記案内手段は、前記特定された充電施設に属する各充電スペースの充電器の位置が共通である場合には、前記充電施設と充電器の位置とが対応づけられた情報と前記自車両の給電口の位置とに基づいて、前記自車両が前記充電スペースに駐車する際の進入方向を案内し、前記特定された充電施設に属する各充電スペースの充電器の位置が異なる場合には、前記充電施設に属する各充電スペースと充電器の位置とが対応づけられた情報と前記自車両の給電口の位置とに基づいて、前記自車両が前記各充電スペースに駐車する際の進入方向を案内する充電スペースの案内方法。
【発明の詳細な説明】
【技術分野】
【０００１】
本発明は、電気自動車を充電スペースに駐車する際の進入方向を案内する充電スペース案内装置及び案内方法に関する。
【背景技術】
【０００２】
電気自動車を利用するユーザに対して情報を提供するナビゲーション装置に関し、施設の位置及び電気自動車用のバッテリ充電設備の有無を含む施設データを用いてエネルギー供給設備を備える施設の位置をユーザに提供する技術が知られている（特許文献１参照）。
【先行技術文献】
【特許文献】
【０００３】
【特許文献１】特開２００１−２１５１２４号公報
【発明の概要】
【発明が解決しようとする課題】
【０００４】
しかしながら、従来のナビゲーション装置ではバッテリ充電設備の有無をユーザに提供するだけであるので、ユーザは充電スペースにおける充電器の位置を知ることができず、充電スペースに車両を前進で駐車するべきか又は車両を後退で駐車するべきかを事前に判断することができない。このため、ユーザは充電をする度に充電器の配置を一々確認しなければならず、利便性に欠けるという問題がある。
【０００５】
本発明が解決しようとする課題は、ユーザが車両を前進で充電スペースに駐車すべきか又は後退で充電スペースに駐車すべきかを案内できる利便性の高い充電スペース案内装置及び案内方法を提供することである。
【課題を解決するための手段】
【０００６】
本発明は、特定された充電施設に属する各充電スペースの充電器の位置と自車両の給電口の位置とに基づいて、自車両が充電スペースに駐車する際の進入方向を案内することにより上記課題を解決する。
【発明の効果】
【０００７】
本発明では、充電スペースに駐車する際に自車両の進入方向を案内するので、ユーザは充電スペースに駐車する度に給電口の位置や充電器の配置を確認しなくても、ユーザが車両を前進で充電スペースに駐車すべきか又は後退で充電スペースに駐車すべきかを知ることができる。このため、自車両のバッテリに充電を行う際の利便性を向上させることができる。
【図面の簡単な説明】
【０００８】
【図１】本発明に係る本実施形態の案内装置１００を含む車載装置１のブロック構成図である。
【図２】自車両の給電口の位置の一例を示す図である。
【図３】充電器の位置の一例を示す図である。
【図４】案内情報の一例を示す図である。
【図５】本実施形態に係る案内装置１００の動作手順を説明するためのフローチャート図である。
【図６】案内情報の出力時の状況を示す図である。
【図７】利用する充電スペースの選択画面の一例を示す図である。
【発明を実施するための形態】
【０００９】
以下、図面に基づいて、電気自動車に搭載された本実施形態に係る案内装置１００について説明する。
【００１０】
図１は、本実施形態に係る案内装置１００を含む車載装置１のブロック構成図である。図１に示すように、本実施形態の車載装置１は、案内装置１００の他に、ナビゲーション装置２００と車両コントローラ３００とを備えている。これらの各装置はＣＡＮ（Controller Area Network）その他の車載ＬＡＮによって接続され、相互に情報の授受を行うことができる。また、車載装置１の案内装置１００とナビゲーション装置２００と車両コントローラ３００は、ナビゲーション装置２００の通信装置２０４を介して通信機能２Ｑを備える外部の情報提供装置２と相互に情報の授受を行うことができる。
【００１１】
同図に示すように、本実施形態に係る案内装置１００は、充電スペースに駐車する際の進入方向を案内する情報をディスプレイ２１やスピーカ２２を介して出力させる処理を実行するためのプログラムが格納されたＲＯＭ（Read Only Memory）１２と、このＲＯＭ１２に格納されたプログラムを実行することで、案内装置１００として機能させる動作回路としてのＣＰＵ（Central Processing Unit）１１と、アクセス可能な記憶装置として機能するＲＡＭ（Random Access Memory）１３と、を備えている。
【００１２】
本実施形態に係る案内装置１００の制御装置１０は、給電口位置取得機能と、施設特定機能と、充電スペース特定機能と、充電器位置取得機能と、案内機能とを備えている。本実施形態の制御装置１０は、上記機能を実現するためのソフトウェアと、上述したハードウェアの協働により各機能を実行することができる。
【００１３】
以下に、この制御装置１０が実現する各機能についてそれぞれ説明する。
【００１４】
まず、制御装置１０の給電口位置取得機能について説明する。本実施形態の制御装置１０は、自車両の給電口の位置を取得する給電口位置取得機能を備えている。制御装置１０はその内部のＲＯＭ１２，ＲＡＭ１３、車両コントローラ３００の記憶装置が記憶する自車両の給電口の位置、又は情報提供装置２の記憶装置が記憶する自車両の給電口の位置を読み込んで取得することができる。また、給電口の位置は予め記憶されている情報を取得するほか、車載装置１が記憶する車種情報に基づいて、予め準備された車種情報と給油口位置との対応情報を参照して自車両の給油口の位置を取得することも可能である。例えば、案内装置１００は、案内装置１００又は車両コントローラ３００が記憶する自車両の車種情報を外部の情報提供装置２に通信装置２０４を介して送出し、情報提供装置２が求めた自車両の給油口の位置を、通信装置２０４を介して取得することが可能である。このとき、情報提供装置２は予め準備された車種情報と給油口位置との対応情報を参照し、車載装置１から取得した車種情報に基づいて自車両の給油口の位置を求めることができる。
【００１５】
図２は車両の給電口の位置の例を示す図である。給電口Ｋの位置（情報）は、給電口Ｋが車両のどの位置に設けられているかを示す情報であり、例えば、図２に示すように、前中央、後中央、前左、前右、後左、後右などの自車両の進行方向を前方とした場合の設置位置情報である。なお、図２は給電口Ｋを設けることができる位置の例を示すものであり、給電口Ｋは車両に少なくとも一つ設けられていればよい。
【００１６】
続いて、制御装置１０の施設特定機能について説明する。本実施形態の制御装置１０は、ユーザからの入力情報に基づいて又は自車両の現在位置やバッテリ残量などの車両の状況に基づいて、自車両が利用する充電施設を特定する施設特定機能を備えている。例えば、本実施形態の制御装置１０は、ナビゲーション装置２００の経路探索装置２０２により探索される経路の目的地に基づいて充電施設を特定することができる。つまり、目的地として設定された地点が充電施設であれば、その充電施設を案内の対象として特定することができる。また、制御装置１０は、充電施設が目的地として設定されない場合であっても、車両コントローラ３００から取得したバッテリ残量が所定値未満である場合は、ナビゲーション装置２００の現在位置検出装置２０１により検出された現在位置から所定距離以内（近傍）の充電施設を案内対象の充電施設として特定することができる。さらに、制御装置１０は、経路探索を行っていない場合であっても、車両の現在位置が充電施設内にある場合は、その充電施設を案内対象の充電施設として特定することもできる。なお、ある地点を含む施設が充電施設であるか否かの施設の属性情報は、ナビゲーション装置２００の地図情報２０３１又は充電施設情報２０３２に含まれている。
【００１７】
本実施形態においては、充電施設の属性を含む地図情報２０３１又は充電施設の位置を含む充電施設情報２０３２がナビゲーション装置２００の記憶装置２０３に格納されている例を説明するが、案内装置１００の制御装置１０に記憶させてもよいし、外部の情報提供装置２から通信装置２０４を介して取得することもできる。
【００１８】
次に、制御装置１０の充電器位置取得機能について説明する。本実施形態の制御装置１０は、特定された充電施設に属する充電スペースの位置を含む充電スペース情報２０２３及び／又は各充電スペースの充電器の位置を含む充電器位置情報２０３４を取得する充電器位置取得機能を備えている。充電スペース情報２０２３、充電器位置情報２０３４は、ナビゲーション装置２００の記憶装置２０３に充電施設情報２０３２と対応づけて記憶させてもよいし、外部の情報提供装置２内に充電スペース情報２ｂ、充電器位置情報２ｃとして記憶させ、通信装置２０４を介して取得してもよい。
【００１９】
図３は、充電施設情報２０３２，充電スペース情報２０３３，及び充電器位置情報２０３４を含む情報の一例を示している。図３に示すように、充電施設Ｐごとに充電施設ＩＤ（識別子）と位置情報（緯度及び経度）が付されるとともに、充電施設に属する各充電スペースＳについても充電スペースＩＤ（識別子）と充電スペースＩＤの充電施設Ｐにおける配置情報（配置識別子）が付されている。また、各充電スペースにはその充電スペースにおける充電器Ｃの配置場所が付されている。この情報により、制御装置１０は、多くの充電施設の中からある特定された充電施設Ｐを識別し、その充電施設Ｐに属する充電スペースＳを識別するとともに、その充電スペースＳにおける充電器Ｃの配置場所を特定することができる。
【００２０】
ちなみに、充電施設Ｐに属するすべての充電スペースＳにおいて充電器Ｃの位置が共通する場合には、充電施設ＰのＩＤと充電器Ｓの位置とを対応づけて記憶することが好ましい。また、充電施設Ｐに属する充電スペースＳの充電器Ｃの位置がそれぞれ異なる場合は、各充電スペースＳのＩＤと充電器Ｃの位置とを対応づけて記憶することが好ましい。
【００２１】
さらに、制御装置１０の案内機能について説明する。本実施形態の制御装置１０は、自車両の給電口の位置と各充電スペースの充電器の位置とに基づいて、自車両が充電スペースに駐車する際の進入方向を案内する案内機能を備えている。
【００２２】
制御装置１０は、充電施設又は充電施設の充電スペース給電口の位置ごとに、自車両の給電口の位置に応じた進入方向を含む案内情報１２１を予めＲＯＭ１２内に記憶している。図４は案内情報１２１の一例を示す図である。図４に示すように、案内情報においては、各充電スペースにおける充電器の位置と自車両の給電口の位置との対応関係に応じて「後退」又は「前進」の案内情報の内容が定義されている。制御装置１０は、自車両の給電口の位置に応じて図４に示す案内情報１２１の一部を記憶してもよい。このように、予め充電器の位置と給電口の位置との対応関係に応じて案内情報の内容を定義しておくことにより、複雑な演算が不要となり、処理能力の低い廉価なＣＰＵを用いて制御装置１０を構成することが可能となる。この結果、案内装置１００にかかるコストを低減させることができる。なお、案内情報１２１の記憶領域は、案内装置１００内に限定されず、ナビゲーション装置２００内や外部の情報提供装置２内に設けることも可能である。
【００２３】
制御装置１０は、充電施設に属する各充電スペースの充電器の位置が共通である場合には、充電施設ごとに充電器の位置と給電口の位置とに応じた駐車方向が定義された案内情報１２１を参照し、充電施設のＩＤに対応づけられた充電器の位置と自車両の給電口の位置とに基づいて、自車両がその充電スペースに駐車する際の進入方向を案内することができる。このように、充電施設に属する充電スペースの充電器の位置が共通である場合には、充電施設ごとに駐車方向を定義しておくことにより、案内情報１２１の内容を画一的に定義することができるため、案内情報１２１を求める処理に係るコストを低減させることができる。
【００２４】
他方、充電施設に属する各充電スペースの充電器の位置が異なる場合において、制御装置１０は、充電器の位置と給電口の位置とに応じた駐車方向が定義された案内情報を参照し、充電施設に属する各充電スペースの充電器の位置と自車両の給電口の位置とに基づいて、自車両が各充電スペースに駐車する際の進入方向を案内することができる。このように、充電スペースごとに充電器の位置が異なる場合であっても、充電スペースごとに駐車方向を定義しておくことにより、各充電スペースに適した案内情報を出力することができるため、利便性を向上させることができる。
【００２５】
このように同じ充電施設に属する各充電スペースの充電器の位置が異なり、前進で駐車できる充電スペースと後退で駐車できる充電スペースとの両方が存在する場合には、ユーザがどの充電スペースを利用するかを選択できるように構成することが好ましい。
【００２６】
このため、本実施形態の制御装置１０は、上述した施設特定機能により特定された充電施設に属する各充電スペースの中から、ユーザの選択操作に基づいて一つの充電スペースを特定する充電スペース特定機能をさらに備えている。具体的に、制御装置１０は、ユーザが利用できる充電スペースの候補をタッチパネル型のディスプレイ２１により提示するとともに、ユーザに充電スペースの選択操作を要求する。そして、制御装置１０は、タッチパネル型のディスプレイ２１を介して入力されたユーザの選択情報に基づいて、案内の対象となる充電スペースを特定することができる。なお、本例におけるタッチパネル型のディスプレイ２１としては、ナビゲーション装置などに用いられている一般的なものを用いることができる。
【００２７】
そして、制御装置１０は、充電スペースにおける充電器の位置と給電口の位置とに応じた駐車方向が定義された案内情報１２１を参照し、特定された充電スペースの充電器の位置と自車両の給電口の位置とに基づいて、自車両がその各充電スペースに駐車する際の進入方向を案内する。このように、前進で駐車する充電スペースと後退で駐車する充電スペースとが存在する場合に、ユーザがいずれか一方を選択することができるので、ユーザの運転操作の嗜好に応じた充電スペースをユーザが選択し、選択された充電スペースに関する案内情報を提供することができる。
【００２８】
本実施形態において、制御装置１０は、自車両が充電スペースに駐車する際の進入方向を少なくとも含む案内情報を、ディスプレイ２１を介して文字や図によって表示し、この表示とともに又は別にスピーカ２２を介して音声によって出力する。案内情報の態様は特に限定されないが、「前進で駐車すると充電しやすいです」、「前進で駐車して下さい」、又は「充電器は右側奥にあります」などといった内容の文字や音声で構成することができる。もちろん、特定された充電スペースにおける充電器の位置を図示することや、充電スペースへの進入方向を矢印などの図形によって表示することや、充電スペースへ車両が前進又は後退で駐車する様子を画像によって表示することなども可能である。表示される図形や画像は静止画であってもよいし、動画であってもよい。
【００２９】
本実施形態では、車両に搭載された案内装置１００を例に説明するが、車両外部の情報提供装置２に、上述の給電口位置取得機能と施設特定機能と充電器位置取得機能と充電スペース特定機能と案内機能とを実行する制御装置１０´を設けることができる。情報提供装置２の給電口位置取得機能は、車載装置１から給電口位置や給電口位置を特定できる車種情報を取得することができる。また、情報提供装置２の充電スペース特定機能は車載装置１から充電スペースの特定情報を取得することができる。これにより、車載装置１と情報の授受が可能な情報提供装置２により、本発明の実施形態に係る充電スペースの案内を実行することができる。
【００３０】
続いて、図５〜図７に基づいて、本実施形態の案内装置１００の動作を説明する。図５は、本発明に係る本実施形態の案内装置１００の動作手順を示すフローチャート図、図６は案内情報の出力時の状況を示す図、図７は複数の充電スペースの候補がある場合にユーザに充電スペースの選択を求める画面表示の例である。
【００３１】
まず、ステップＳ１０１において、制御装置１０は、自車両の給電口の位置を車両コントローラ３００から取得する。給電口の位置が案内装置１００のＲＯＭ１２又はＲＡＭ１３に記憶されている場合は、記憶された給電口の位置を読み込んで取得する。また、自車両の車種情報を情報提供装置２へ送出し、情報提供装置２が判断する車種に応じた給電口の位置を、車載された通信装置２０４を介して取得することも可能である。
【００３２】
次に、ステップＳ１０２において、制御装置１０は、ナビゲーション装置２００の経路探索装置２０２を用いて目的地が設定されたか否かを判断する。目的地が設定されている場合はステップＳ１０３へ進み、目的地が設定されていない場合はステップＳ１０４へ進む。
【００３３】
設定された目的地が充電施設である場合はステップＳ１０５へ進み、目的地として設定された充電施設を、本処理の案内対象としての充電施設として特定する。目的地が充電施設である場合は、ユーザがその充電施設に充電をしに行くと推測することができるからである。なお、地点が充電施設である旨などの地点の属性は予め地図情報２０３１に記憶されている。
【００３４】
他方、ステップＳ１０２及びステップＳ１０３において、目的地が設定されなかった場合や、目的地が設定されたとしても充電施設を目的地としない場合は、ステップＳ１０４へ進む。
【００３５】
ステップＳ１０４において、制御装置１０は、ユーザが充電施設を利用するか否か、つまりユーザが充電施設を利用する可能性を判断する。たとえば、制御装置１０は、車両コントローラ３００から取得したバッテリ残量が所定値未満である場合は、ユーザが充電施設を利用する可能性が高いと判断する。また、制御装置１０は、ユーザが経路探索を行っていない場合であっても、車両の現在位置が充電施設内にある場合は、ユーザが充電施設を利用する可能性が高いと判断する。ユーザが充電施設を利用すると判断された場合にはステップＳ１０５へ進む。
【００３６】
このように、本実施形態の案内装置１００は、ユーザによる目的地設定などの操作情報や車両のバッテリ残量や車両の現在位置に基づいて、案内情報の生成及び出力のトリガを自動的に判断し、実行することができる。
【００３７】
次に、ステップＳ１０５において、制御装置１０は、自車両が利用する充電施設を特定する。本実施形態の制御装置１０は、ステップＳ１０２，Ｓ１０３で目的地として設定された充電施設を案内対象の充電施設として特定する。制御装置１０は、バッテリ残量に基づいてステップＳ１０４の判断処理がされた場合には、バッテリ残量が所定値未満であると判断されたタイミングにおいて現在位置から所定距離以内（近傍）の充電施設を案内対象の充電施設として特定することができる。また、制御装置１０は、自車両の現在位置と充電施設の位置情報に基づいてステップＳ１０４の判断処理がされた場合には、自車両の現在位置と所定距離Ｘ以内に存在する充電施設を案内対象の充電施設として特定することができる。
【００３８】
続いて、ステップＳ１０６において、制御装置１０は、自車両の現在位置と充電施設の位置とを比較して、自車両の現在位置と充電施設の位置（又は充電スペースが存在する領域の位置）との距離が所定値未満Ｙ（Ｙ＜Ｘ）となった場合には、自車両が充電施設の充電スペースに接近乃至敷地内に駐車したと判断し、ステップＳ１０７へ進む。このタイミングで案内情報の作成処理を開始することができる。
【００３９】
次のステップＳ１０７において、制御装置１０は、ステップＳ１０５にて特定された充電施設に属する充電スペースの充電器の位置を取得する。充電施設に属する全ての充電スペースにおいて充電器の位置が同じである場合には、充電施設ごとに特定された充電器の位置を取得する。他方、充電施設に属する各充電スペースの充電器の位置が異なる場合には、各充電スペースの充電器の位置を取得する。図６は、充電施設に属する各充電スペースにおける充電器の配置例である。例えば、図６に示す例では、各充電スペースのＩＤと充電器の設置された位置（奥中央、左奥、右奥、手前左、手前右）の情報とを取得する。
【００４０】
このとき、制御装置１０は、特定された充電施設の充電スペース利用可否情報２ｄを外部の情報提供装置１からナビゲーション装置２００の通信装置２０４を介して取得する。この充電スペース利用可否情報２ｄは、充電スペースのリアルタイムの駐車状況（駐車中又は空き状態の情報）を含んでいる。
【００４１】
続くステップＳ１０８において、制御装置１０は、特定された充電施設に属する充電スペースの中から利用可能な充電スペースを抽出する。そして抽出された利用可能な充電スペースの駐車方向が「前進」と「後退」の両方を含む場合、つまり、前進で駐車可能な充電スペース及び後退で駐車可能な充電スペースのいずれもが利用可能である場合は、ステップＳ１０９へ進む。
【００４２】
ステップＳ１０９において、制御装置１０はユーザに利用する充電スペースを選択するように要求する。具体的には、制御装置１０は、利用可能な充電スペースの候補をディスプレイ２１により提示させ、ユーザからの選択入力を待機する。
【００４３】
図７は、ディスプレイ２１における充電スペースの選択画面の一例を示す図である。図７に示すように、すでに他車両が駐車しており利用ができない充電スペースはグレーアウト表示されており、駐車されておらず利用可能な充電スペースはハイライト表示されている。また、同図に示すように、ディスプレイ２１には、充電器との接続位置を示すアイコン（コンセントの図）が充電器の設けられている場所に対応づけて表示されている。
【００４４】
続くステップＳ１１０において、制御装置１０は、ユーザが利用する充電スペースの選択情報（充電スペースＩＤ）の入力を受け付ける。ユーザは、タッチパネル型のディスプレイ２１で表示された充電スペースの中から自分が利用したい充電スペースを選択し、タッチ入力する。ちなみに、タッチパネル型のディスプレイ２１は、駐車されていない充電スペースの選択入力のみを受け付け、駐車されていて利用できない充電スペースの選択入力は受け付けない。
【００４５】
このように、ユーザが、自分の運転嗜好に応じて前進で駐車できる充電スペース又は後退で駐車できる充電スペースのいずれかを選択することができるので、案内装置１００の利便性を向上させることができる。
【００４６】
続くステップＳ１１１において、制御装置１０は、充電器の位置と給電口の位置と駐車方向とが対応づけられた案内情報１２１を参照する。
【００４７】
そして、ステップＳ１１２において、制御装置１０は、利用可能な充電スペースの充電器の位置と自車両の給電口の位置とに基づいて、ユーザによって選択された充電スペースに自車両が駐車する際の進入方向を判断する。
【００４８】
さらに、制御装置１０は、ユーザが選択した充電スペースの案内情報をディスプレイ２１及び／又はスピーカ２２を介して出力する。
【００４９】
他方、ステップＳ１０８において、前進で駐車可能な充電スペース及び後退で駐車可能な充電スペースのいずれもが利用可能でないと判断された場合は、制御装置１０は、充電スペースにおける充電器の位置が共通すると判断する（ステップＳ１１３）。
【００５０】
続くステップＳ１１４において、制御装置１０は、充電器の位置と給電口の位置と駐車方向とが対応づけられた案内情報１２１を参照する。
【００５１】
そして、制御装置１０は、利用可能な充電スペースの充電器の位置と自車両の給電口の位置とに基づいて、利用可能な充電スペースに自車両が駐車する際の進入方向を判断する。
【００５２】
さらに、ステップＳ１１５において、制御装置１０は、利用可能と判断された充電スペースの案内情報をディスプレイ２１及び／又はスピーカ２２を介して出力する。
【００５３】
本発明は以上のように構成され、以上のように作用するので、以下の効果を奏する。
【００５４】
本発明に係る本実施形態の案内装置１００又は案内方法によれば、特定された充電施設に属する各充電スペースの充電器の位置と自車両の給電口の位置とに基づいて、自車両が充電スペースに駐車する際の進入方向を案内するので、ユーザは充電スペースに駐車する度に給電口の位置や充電器の配置を一々確認しなくても、ユーザが車両を前進で充電スペースに駐車すべきか又は後退で充電スペースに駐車すべきかを判断することができる。この結果、充電操作における利便性を向上させることができる。
【００５５】
一般に、車両の給電口の位置はメーカや車種によって異なり、また充電器の位置は充電施設や充電スペースごとに異なるため、ユーザは充電するために自車両の給電口の位置や駐車しようとする充電スペースの充電器の位置を確認してから充電スペースへの進入方向を一々判断しなければならない。これに対し、本実施形態の案内装置１００又は案内方法によれば、駐車時において充電器の位置を確認する手間が省けるので、ユーザの負荷を低減させることができる。
【００５６】
また、本実施形態の案内装置１００によれば、ユーザが利用しようとする充電施設の充電スペースに駐車する際の進入方向を予め案内できるので、ユーザは駐車時において車両操作に集中することができる。さらに、駐車した後に、自車両の給電口と充電器とが離れていることに気づいて駐車をやり直すといった無駄なエネルギー消費も防止することができる。
【００５７】
本実施形態の案内装置１００は、充電施設に属する各充電スペースの充電器の位置が共通する場合には、充電施設ごとに記憶された充電器の位置と自車両の給電口の位置とに基づいて自車両が特定された充電スペースに駐車する際の進入方向を案内するので、充電スペースへの進入方向を充電施設ごとに一律に判断することができる。その結果、案内装置１００が行う演算負荷を低減させることができる。
【００５８】
一方、本実施形態の案内装置１００は、充電施設に属する各充電スペースの充電器の位置が異なる場合には、充電施設に属する充電スペースごとに記憶された充電器の位置と自車両の給電口の位置とに基づいて、駐車する際の進入方向を特定された充電スペースごとに案内することができる。その結果、利便性の高い正確な案内情報を提供することができる。
【００５９】
以上のように、本実施形態の案内装置１００は、特定された充電施設に属する各充電スペースの充電器の位置が共通する場合には充電スペースへの駐車方向を充電施設ごとに一律に判断し、他方、特定された充電施設に属する各充電スペースの充電器の位置が異なる場合には、充電スペースへの駐車方向を充電スペースごとに判断することにより、充電施設の状況に応じて演算負荷を低減させつつ利便性の高い正確な案内情報を提供することができる。
【００６０】
本実施形態の案内装置１００は、特定された充電施設のうち、ユーザが利用する充電スペースを特定する情報を受け付け、ユーザから入力された情報によって特定された充電スペースの充電器の位置と自車両の給電口の位置とに基づいて、自車両が各充電スペースに駐車する際の進入方向を案内するので、ユーザは自身が駐車しようとする充電スペースを対象とした案内情報のみを出力させることができる。つまり、ユーザの意思に応じた的確な案内情報を提供することができる。また、ユーザが前方駐車による駐車と後退駐車による駐車において得意又は不得意といった運転操作の嗜好を持っている場合には、ユーザは自身の嗜好に応じた充電スペースを選択することができる。
【００６１】
本実施形態の案内装置１００は、充電施設ごと又は充電施設の充電スペースの充電器の位置ごとに、自車両の給電口の位置に応じた駐車方向を含む案内情報を予め記憶しているので、複雑な計算が不要となり、制御装置１０のＣＰＵの処理負荷を低減することができる。廉価のＣＰＵを用いることができるので、案内装置１００の製造コストを低減させることができる。
【００６２】
他の観点において、車両と情報の授受が可能であり、車両のユーザに充電スペースの案内情報を提供することができる本発明に係る情報提供装置においては、自車両の給電口の位置を取得する給電口位置取得機能と、自車両が利用する充電施設を特定する施設特定機能と、特定された充電施設に属する各充電スペースの充電器の位置を取得する充電器位置取得機能と、自車両の給電口の位置と各充電スペースの充電器の位置とに基づいて、自車両が充電スペースに駐車する際の進入方向を案内する案内機能と、を有する制御装置１０´を備えているので、上述の案内装置１００と同様の効果を得ることができる。本実施形態の情報提供装置２は、車両の外部で上述の処理を行うことができるので、車載装置の処理負荷を低減させることができる。
【００６３】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００６４】
すなわち、本明細書では、本発明に係る充電スペース案内装置の一態様として案内装置１００を例にして説明するが、本発明はこれに限定されるものではない。
【００６５】
また、本明細書では、本発明に係る充電スペース案内装置の一態様として、ＣＰＵ１１、ＲＯＭ１２、ＲＡＭ１３を含む制御装置１０及び入出力装置２０を備える案内装置１００を一例として説明するが、これに限定されるものではない。
【００６６】
また、本明細書では、本願発明に係る給電位置取得手段と、施設特定手段と、充電器位置取得手段と、案内手段と、充電スペース特定手段を有する充電スペース案内装置の一態様として、給電位置取得機能と、施設特定機能と、充電器位置取得機能と、案内機能と、表示機能と、必要に応じて充電スペース特定機能とを有する案内装置１００を例にして説明するが、本発明はこれに限定されるものではない。
【００６７】
１…車載装置
１００…案内装置
１０…制御装置
１１…ＣＰＵ
１２…ＲＯＭ
１３…ＲＡＭ
２０…入出力装置
２１…タッチパネル型のディスプレイ
２２…スピーカ
２００…ナビゲーション装置
２０１…現在位置検出装置
２０２…経路探索装置
２０３…記憶装置
２０４…通信装置
３００…車両コントローラ
２…情報提供装置
【図１】
0005577840.tif 000002
【図２】
0005577840.tif 000003
【図３】
0005577840.tif 000004
【図４】
0005577840.tif 000005
【図５】
0005577840.tif 000006
【図６】
0005577840.tif 000007
【図７】
0005577840.tif 000008